(57)【特許請求の範囲】
【請求項１】
冷熱湿布装置及び循環水槽を含み、
該冷熱湿布装置は、本体、収容体、ウォーターバッグ、固定片を含み、
該本体の内側は、収容空間を形成し、該収容空間は、該収容体、該ウォーターバッグ及び該固定片を内に収容させ、そのうち、該収容体は、その一側に複数の収容部を形成し、且つその他側に貼合部を設け、該貼合部は、該収容体の外周囲に複数の固定孔を形成し、また、該収容部は、冷熱伝導部材、冷却部材及び放水放熱部材を収容させ、
該冷熱伝導部材は、伝導材質により構成され、該冷却部材は、半導体電子冷却片であり、該冷熱伝導部材の加熱又は冷却を制御させることができ、該放水放熱部材は、該半導体電子冷却片に放熱させ、該収容体は固定部材を利用して該本体の収容空間内に固定され、
更に、第１水循環ポンプを設け、該第１水循環ポンプは、該収容体の１つの収容部上に固定され、
該ウォーターバッグは、密閉空間を有する袋体であり、該収容体の貼合部上に貼合され、第１循環水管を設け、該第１循環水管は、それぞれ該ウォーターバッグ、該第１水循環ポンプ及び該冷熱伝導部材を連通し、直列形態を形成し、
該固定片は、該ウォーターバッグの形状に相対する中空貼合孔を有する環形部材であり、且つその環形部材のフレームに該収容体の固定孔の位置及び形状に相対して固定部を設け、
該循環水槽は、制御本体及び容器本体を含み、該制御本体及び容器本体は、一体にロックされた形態であることができ、且つ該容器本体内に収容槽を形成して水を収容可能とし、
該制御本体は、制御インタフェース及び第２水循環ポンプを有し、該制御インタフェースは、制御回路と電気接続でき、該制御回路は、更に該冷却片、該第１水循環ポンプ及び該第２水循環ポンプに電気接続し、
更に、第２循環水管を設け、該第２循環水管は、それぞれ該循環水槽の第２水循環ポンプ及び放水放熱部材を連通し、直列形態を形成するマッサージ装置。
【請求項２】
該制御インタフェース及び該制御回路の電気接続は、有線電気接続又は無線電気接続である請求項１に記載のマッサージ装置。
【請求項３】
該収容体のウォーターバッグの貼合部に相対する位置に振動モータを設置し、該振動モータは、該制御回路と電気接続し、且つ該制御インタフェースの制御を受ける請求項１に記載のマッサージ装置。
【請求項４】
更に、ヘッドバンドを設け、該ヘッドバンドの両端にそれぞれフック部を設け、また、該冷熱湿布装置の両側に更に嵌合孔を設けた請求項１に記載のマッサージ装置。
【請求項５】
更に、該冷熱湿布装置と該循環水槽を接続可能な接続管を設け、且つその接続管内の空間が該制御回路の電気接続する電気ケーブルを収容する請求項１に記載のマッサージ装置。
【発明の詳細な説明】
【技術分野】
【０００１】
本発明は、マッサージ装置に関し、特に、冷熱湿布装置の効果を提供し、血液循環を促進し、筋肉又は眼部の健康を保つ効果以外に、更に、人体の部位をなだめることができ、マッサージの効果を有するマッサージ装置に関する。
【背景技術】
【０００２】
科学技術の発展に伴い、パソコン及びスマートフォン等の電子製品は、既に生活必需品となっており、仕事、レジャー、情報検索及び閲読等は、多くの人が何れもパソコン及びその他の電子装置（例えば、タブレットＰＣ、スマートフォン）と切り離すことができず、故に電子装置及びスマートフォンは、既に徐々に従来の紙媒体類の作業にとって代わっている。
【０００３】
この種の電子製品は、一方でブルーライトの効果により、また一方で表示フォントが相当小さいことにより、長期の使用において、眼部が相当疲労を感じ易く、且つ眼部にしばしば乾燥、疲れ、充血の現象を発生させ、従って、多くの眼部の健康保持製品が生まれている。同様に、ただ眼部の健康保持のみがこのように重要な必要性があるのではなく、その他の人体の異なる部分も同様に過度の使用又は衝突によって生じる痛みがあり、同様にこの種のマッサージ装置を利用して冷熱湿布で部位をなだめる効果を達成することができる。不要な説明を省くため、本明細書は、眼部マッサージ装置の実施例を主として説明し、その他の装置の実施例は、その後で簡易に説明する。
【０００４】
市場には、眼部の疲労感を改善するための多くの製品、例えば、眼部をなだめる目薬、マッサージ効果を有するアイマスク等があり、以下に本発明者が出願し、合格査定となった初代製品（中華民国専利公告第Ｍ３８６８９２号「マッサージ装置」又は図１を参照し、その関連する符号は、該案を援用して説明する）を紹介し、該発明は、主にヘッドバンド１及びヘッドバンドに設けられる冷熱湿布装置２を含み、該冷熱湿布装置２は、ウォーターバッグ２１、冷熱伝導部材２２、半導体電子冷却部材２３を含み、そのうち、該ウォーターバッグ２１は、人体の眼部の部位を覆い、該ウォーターバッグ２１は、冷熱伝導部材２２を内部に嵌め込ませる接合口２１５を開設し、該半導体電子冷却部材２３は、冷熱伝導部材２２上に設置され、該冷熱湿布装置２は、放熱部材２５に設置される冷却部材２７を含み、該冷却部材２７は、放冷熱ブロック２５１に対応する支持構造２６、及び支持構造２６に設置され、放冷熱ブロック２５１に対して冷却を行うファン２７２を含む。
【０００５】
発明者の先願の技術内容は、半導体電子冷却部材２３によって冷熱伝導部材２２に対して冷却又は加熱等の温度制御を行うものであり、該冷熱伝導部材２２は、ウォーターバッグ２１内部の液体に対して温度調整を行い、ウォーターバグに熱湿布、冷湿布の効果をもたせ、眼部の疲労感を有効になだめる。しかしながら、先願の技術は、ファン２７２の設計において、周囲の熱い空気及び冷たい空気の対流を加速させることのみでき、従って、その放熱効果は限られている。従って、当時本発明者は、更に、出願中の二代目の特許（中華民国専利出願番号１０２１１９９６６「マッサージ装置」又は図２，３，４を参照し、その関連する符号は、先願を援用して説明する）を発明し、それは、冷熱湿布装置１、循環水槽２及びヘッドバンド１５を含み、そのうち、
該冷熱湿布装置１は、ウォーターバッグ１１、冷熱伝導部材１２、冷却部材１３及び放水放熱部材１４を含み、該ウォーターバッグ１１内側は、人体眼部部位を覆い、冷熱伝導部材１２は、ウォーターバッグ１１の人体眼部部位を覆うのと相反側に組み付けられ、冷却部材１３は、冷熱伝導部材１２のウォーターバッグ１１に組み付けられるのと相反側に組み付けられ、該放水放熱部材１４は、冷却部材１３及びウォーターバッグ１１に貼付され、循環水槽２と循環を呈するように設置され、
該循環水槽２は、少なくとも１つの温度制御ユニット２１を設け、放水放熱部材１４内の液体の温度を冷却し、
該ヘッドバンド１５は、冷熱湿布装置１に接続し、且つヘッドバンド１５は、人体頭部に加工用に設けられることができ、
これにより、冷却部材１３は、冷熱伝導部材１２に対して冷却又は加熱等の温度制御を行い、冷熱伝導部材１２のウォーターバッグ内部液体に対して温度調整を行い、ウォーターバッグ１１に熱湿布及び冷湿布の効果をもたせ、眼部の疲労を緩和させ、放水放熱部材１４内の冷水の調節により、放水放熱部材１４及び冷却部材１３に冷熱伝導交換を行わせ、冷却部材１３の放熱効果を加速させる。
【先行技術文献】
【特許文献】
【０００６】
【特許文献１】実用新案登録第３１９１１１７号公報
【発明の概要】
【発明が解決しようとする課題】
【０００７】
しかしながら、出願人は、卓越性を追求する精神に基づき、二代目特許による各項の欠陥に対して更に改善を行っており（図２、図３、図４参照）、その欠陥は、以下である。
1.該案の冷熱伝導部材１２は、固定部材１１１を利用してウォーターバッグ１１内に固定され、且つ冷熱伝導部材１２の金属片がウォーターバッグ１１の水に覆われ、酸化作用を発生して錆易く、その伝導の効率を低下させる。
2.同様に、該固定部材１１１もウォーターバッグ１１の水内に浸ることにより、酸化作用を発生して錆つき、緩み又は漏水の現象発生し、眼部のマッサージ機の構造全体が不安定になり、漏水漏電のリスクがある。
3.また、ウォーターバッグ１１は、固定部材１１１により冷熱伝導部材１２又は導電片１８に固定され、固定部材１１１が緩みを発生する時、更にウォーターバッグ１１がプラスチック材質であるので、該ウォーターバッグ１１が容易に疲労効果を生成し、漏水の現象を発生する。
4.上記を受けて、プラスチック材質のウォーターバッグ１１及び金属部材の冷熱伝導部材１２又は導電片１８の結合において、結合が容易でなく、螺子の固定部材１１１を利用して螺合するか、接着剤で接着するかに関わらず、何れも冷熱温度差の変化により発生する熱膨張冷縮によりって隙間を形成し、漏水の状況を発生する。
5．また、導熱片１８又は冷熱伝導部材１２はウォーターバッグ１１内の固定位置内にあり、ウォーターバッグ１１内の水が加熱又は冷却を受ける時、そのン度は、導熱片１８又は冷熱伝導部材１２の周囲に蓄積され易く、その他の領域に温度均衡の効果を達成することができず、眼部周囲全体に同時に加熱又は冷却を受けさせることができず、原発明を使用する効果を低下させる。
【０００８】
図５（中華民国専利公告第Ｍ４８５０３６号「マッサージ装置」）に示すように、それは、もう１種のマッサージ装置であり、顔部全体に使用し、それは、同様に二代目の特許の各項の欠陥に直面する。
【課題を解決するための手段】
【０００９】
上記多くの欠陥を改善する為、本発明のマッサージ装置は、冷熱湿布装置及び循環水槽を含み、そのうち、該冷熱湿布装置は、本体、収容体、ウォーターバッグ、固定片を含み、本体の内側は、収容空間を形成し、該収容空間は、収容体、ウォーターバッグ及び固定片を内に収容させ、そのうち、収容体は、その一側に複数の収容部を形成し、且つその他側に貼合部を設け、該貼合部は、冷熱湿布を欲する部位に貼合させ、収容体の外周囲に複数の固定孔を形成し、また、その収容部は、順に冷熱伝導部材、冷却部材及び放水放熱部材を収容させ、
該冷熱伝導部材は、良好な伝導材質により構成（製造）され、冷却部材は、半導体電子冷却片であり、冷熱伝導部材の加熱又は冷却を制御させることができ、該放水放熱部材は、冷却片に放熱させ、且つ固定部材を利用して収容体を本体の収容空間内に固定し、
更に、第１水循環ポンプを設け、該第１水循環ポンプは、収容体の１つの収容部上に固定され、
ウォーターバッグは、密閉空間を有する袋体であり、収容体の貼合部上に貼合され、第１循環水管を設け、該第１循環水管は、それぞれウォーターバッグ、第１水循環ポンプ及び冷熱伝導部材を連通し、直列形態を形成し、このように、ウォーターバッグ内の水に温度均衡の効果を達成させ、
固定片は、ウォーターバッグ形状に相対する中空貼合孔を有する環形部材であり、且つその環形部材のフレームに収容体の固定孔の位置及び形状に相対して固定部を設け、このように、固定片の固定部を利用して収容部の固定孔内に固定する時、同時にウォーターバッグを収容体の貼合部に固定することができ、
循環水槽は、制御本体及び容器本体を含み、該制御本体及び容器本体は、一体にロックされた形態であることができ、且つ容器本体内に収容槽を形成し、水を収容させ、
該制御本体は、制御インタフェース及び第２水循環ポンプを有し、該制御インタフェースは、制御回路と電気接続し、制御回路は、更に冷却片、第１水循環ポンプ及び第２水循環ポンプに電気接続し、このように、制御インタフェースによって冷却片、第１水循環ポンプ及び第２水循環ポンプの動作を制御することで使用操作の制御及び調整を達成させることができ、
更に、第２循環水管を設け、該第２循環水管は、それぞれ循環水槽の第２水循環ポンプ及び放水放熱部材を連通し、直列形態を形成し、このように、循環水槽の容器本体に収容槽内の水を循環流動させることによって放水放熱部材に迅速に放熱させることができ、以上の装置によって本発明の効果を達成することができる。
【００１０】
本発明の更なる技術特徴は、該制御インタフェース及び制御回路の電気接続が、有線電気接続又は無線電気接続であることにある。
【００１１】
本発明の更なる技術特徴は、収容体のウォーターバッグの貼合部に相対する位置に振動モータを設置し、該振動モータは、制御回路と電気接続し、且つ制御インタフェースの制御を受け、このように、該振動モータが発生する振動効果によって部位に対してマッサージ効果を与えることができることにある。
【００１２】
本発明の更なる技術特徴は、更に、ヘッドバンドを設け、該ヘッドバンドの両端にそれぞれフック部を設け、また、該冷熱湿布装置の両側に更に嵌合孔を設け、このように、ヘッドバンドのフック部を嵌合孔に嵌合し、ヘッドバンドを使用者の頭部に被せ設け、頭部に密着させる効果を達成することにある。
【００１３】
本発明の更なる技術特徴は、更に、接続管を設けることができ、冷熱湿布装置と循環水槽を接続でき、且つその接続管内の空間が制御回路の電気接続する電気ケーブルを収容させることができ、電気ケーブルを保護する効果を達成することにある。
【発明の効果】
【００１４】
本発明の利点は、ウォーターバッグ４０内の水が第１水循環ポンプ３８の動作を受け、第１循環水管４１の連通を経て、ウォーターバッグ４０、第１水循環ポンプ３８及び冷熱伝導部材３４間で流動し、水の循環流動によって冷熱伝導部材３４付近の部位の比較的高温な水をウォーターバッグ４０の各位置に循環させ、ウォーターバッグ４０柱の水に温度均衡の効果を達成させ、温度が不均一になる状況をもたせず、且つ冷熱伝導部材３４がウォーターバッグ４０内に設置されず、従って、錆又は漏水の状況がなく、構造が不安定な状況を発生させることがないことにある。
【図面の簡単な説明】
【００１５】
【図１】本発明の先願の初代特許の装置の立体図である。
【図２】本発明の先願の二代目特許の装置の立体図である。
【図３】本発明の先願の二代目特許の断面説明図である。
【図４】本発明の先願の二代目特許のもう１つの断面説明図である。
【図５】本発明のもう１つの先願の三代目特許の装置の立体図である。
【図６】本発明のマッサージ装置の装置分解説明図である。
【図７】本発明のマッサージ装置のうちの断面説明図である。
【図８】本発明のマッサージ装置のうちのもう１つの断面説明図である。
【図９】本発明のマッサージ装置のうちの循環水槽の断面装置説明図である。
【図１０】本発明のマッサージ装置の組み立て後の装置全体の説明図である。
【図１１】本発明のマッサージ装置の構造を顔部マッサージ部位に応用した実施例の説明図である。
【図１２】本発明のマッサージ装置の構造を顔部マッサージに応用した分解構造の説明図である。
【発明を実施するための形態】
【００１６】
本発明が上記の目的及び効果を達成する為に採用する技術手段及び構造について、図面に合わせて実施例を挙げ、その特徴及び効果を詳細に説明する。
【００１７】
図６及び図７に示すように、本発明の『マッサージ装置』（本発明は、不要な説明を省くため、以下の実施例により眼部マッサージ装置を実施例として説明し、本願の権利範囲をただ眼部マッサージに制限するものでない）は、冷熱湿布装置１０及び循環水槽６０を含み、また、接続管１１によりって冷熱湿布装置１及び循環水槽６０を連通することができる。
【００１８】
該冷熱湿布装置１０は、本体２０、収容体３０、ウォーターバッグ４０、固定片５０を含み、本体２０の内側は、収容空間２１を形成し、該収容空間２１は、収容体３０、ウォーターバッグ４０及び固定片５０を内に収容させ、そのうち、収容体３０は、その一側に複数の収容部３１を形成し、且つその他側に貼合部３２を設け、該貼合部３２は、冷熱湿布を欲する部位に貼合させ、収容体３０の外周囲に複数の固定孔３３を形成し、また、その収容部３１は、順に冷熱伝導部材３４、冷却部材３５及び放水放熱部材３６を収容させ、
該冷熱伝導部材３４は、良好な伝導材質により製造され、冷却部材３５は、半導体電子冷却片３５であり、冷熱伝導部材３４の加熱又は冷却を制御させることができ、該放水放熱部材３４は、冷却片３５に放熱させ（図７参照）、且つ固定部材３７を利用して収容体３０を本体２０の収容空間２１内に固定することができる。
【００１９】
更に、第１水循環ポンプ３８を設け、該第１水循環ポンプ３８は、収容体３０の１つの収容部３１上に固定される。
【００２０】
ウォーターバッグ４０は、密閉空間を有する袋体であり、収容体３０の貼合部３２上に貼合され、該ウォーターバッグ４０の形状は、人体の冷熱湿布を欲する部位の形状であり、本実施例は、眼部形状により説明する。
【００２１】
第１循環水管４１を設け、該第１循環水管４１は、それぞれウォーターバッグ４０、第１水循環ポンプ３８及び冷熱伝導部材３４を連通し、直列形態を形成し（図６、図７の形態を参考できる）、このように、ウォーターバッグ４０内の水が第１水循環ポンプ３８の動作を受けて、第１循環水管４１の連通を経て、ウォーターバッグ４０、第１水運管ポンプ３８及び冷熱伝導部材３４の間で循環流動し、ウォーターバック４０の水循環流動によって冷熱伝導部材３４付近の部位の比較的高温の水をウォーターバッグ４０のその他の各部位に循環させ、伝導系統の関係によって、ウォーターバッグ４０の水を温度均衡させる効果を達成でき、更に、冷熱湿布を欲する部位に均衡して冷熱湿布することができる。
【００２２】
固定片５０は、ウォーターバッグ４０形状に相対する中空貼合孔５１を有する環形部材であり、且つその環形部材のフレーム５２に収容体３０の固定孔３３の位置及び形状に相対して固定部５３を設け、このように、固定片５０の固定部を利用して収容部３０の固定孔３３内に固定する時、同時にウォーターバッグ４０を収容体３０の貼合部３２に固定し、このように、本懐２０、収容体３０、ウォーターバッグ４０及び固定片５０全体の固定を形成し、装置とすることができる（図１０の外観図を参考とし、本発明の実施例図は、眼部マッサージの実施を例とするが、眼部マッサージの範囲に限定するものではない）。
【００２３】
循環水槽６０は、制御本体７０及び容器本体６１を含み（図６及び図８参照）、該制御本体７０及び容器本体６１は、一体にロックされた形態であることができ、且つ容器本体６１内に収容槽６２を形成し、水又は冷却流体を収容させ、該制御本体７０は、制御インタフェース７１及び第２水循環ポンプ７２を有し、該制御インタフェース７１は、制御回路７３に電気接続し（その接続方式は、有線又は無線接続であることができる）、制御回路７３は、更に冷却片３５、第１水循環ポンプ３８及び第２水循環ポンプ７２に電気接続し、このように、制御インタフェース７１によって冷却片３５、第１水循環ポンプ３８及び第２水循環ポンプ７２の動作を制御することで使用操作の制御及び調整を達成させることができる。
【００２４】
更に、第２循環水管７４を設け、該第２循環水管７４は、それぞれ循環水槽６０の第２水循環ポンプ７２及び放水放熱部材３６を連通し、直列形態を形成し（図８、図９の形態を参考できる）、このように、循環水槽６０の容器本体６１に収容槽６２内の水が第２水循環ポンプ７２の動作を受けて、第２循環水管７４の連通を経て、循環水槽６０、第２水循環ポンプ７２及び放水放熱部材３６の間で流動し、水の循環流動によって放水放熱部材３６に、冷却片３５の高温を迅速に放水放熱部材３６に伝導する時、放水放熱部材３６内の第２循環水管７４により迅速に放熱でき、冷却片３５又は冷熱伝導部材３４の効果を維持させることができる。
【００２５】
本発明の利点は、ウォーターバッグ４０内の水が第１水循環ポンプ３８の動作を受け、第１循環水管４１の連通を経て、ウォーターバッグ４０、第１水循環ポンプ３８及び冷熱伝導部材３４間で流動し、水の循環流動によって冷熱伝導部材３４付近の部位の比較的高温な水をウォーターバッグ４０の各位置に循環させ、ウォーターバッグ４０柱の水に温度均衡の効果を達成させ、温度が不均一になる状況をもたせず、且つ冷熱伝導部材３４がウォーターバッグ４０内に設置されず、従って、錆又は漏水の状況がなく、構造が不安定な状況を発生させることがないことにある。
【００２６】
また、循環水槽６０の容器本体６１の収容槽６２内の水が第２水循環ポンプ７２の動作を受け、第２循環水管７４の連通を経て、循環水槽６０、第２水循環ポンプ７２及び放水放熱部材３６間で流動し、水の循環流動によって放水放熱部材３６に冷却片３５の高温を迅速に持ち去らせ、放熱し、冷却片３５又は冷熱伝導部材３４の効果を維持する。
【００２７】
それぞれの循環方式を利用してウォーターバッグ４０の水に温度均衡を達成させる以外に、且つ放水放熱部材３６に迅速に放熱効果を達成させ、相当実用性を有する構造効果であるということができ、従来の特許の各項の欠陥を取り除いている。
【００２８】
本発明は、固定片５０の固定部５３を利用して収容部３０の固定孔３３内に固定する時、同時にウォーターバッグ４０を収容体３０の貼合部３２上に固定し、このように、本体２０、収容体３０、ウォーターバッグ４０及び固定片５０全体の固定を形成し、装置とし、このように、ウォーターバッグ４０内の水が如何なる金属材質も有さず、又は金属固定部材の固定も受けず、従って、錆又は漏水の問題を発生せず、当然ながら、構造が不安定の状況を発生することもない（前記は、本初枝未の実施例の主要技術特徴であり、それは、本考案の請求項１の内容に対応し、本発明の目的及び実施形態を具体的に理解することができ、その残りの従属項に記載の技術特徴は、請求項１の内容の詳細又は付加技術特徴であり、請求項１の限定範囲を限定するものではなく、本考案の請求項１は、その従属項に記載の技術特徴を必ずしも含むものではない）。
【００２９】
図６及び図９に示すように、更に収容体３０のウォーターバッグ４０に相対する貼合部位に２つの振動モータ３９を設置し、該２つの振動モータ３９は、制御回路７３と電気接続し、且つ制御インタフェース７１の制御を受け、このように、該２つの振動モータ３９を介して振動効果を発生し、特定部位に対するマッサージ効果を発生することができる。
【００３０】
また、図１０に示すように、本発明は、更に、ヘッドバンド８０を設け、該ヘッドバンド８０の両端にそれぞれフック部８１を設け、該フック部８１は、冷熱湿布装置１０の本体２０の両側に更に設ける嵌合孔２２に合わせて相互に嵌合することができ、ヘッドバンド８０を使用者の頭部に被せ設けることができ、頭部に密着する効果を達成する。
【００３１】
また、該接続管１１は、冷熱湿布装置１及び循環水槽６０を連通させ、その接続管１１内の空間は、制御回路７３を電気接続させる電気ケーブル７３１を収容させることができ、電気ケーブル７３１を保護する効果を達成する。
【００３２】
なお、本発明では好ましい実施例を前述の通り開示したが、これらは決して本発明に限定するものではなく、当該技術を熟知する者なら誰でも、本発明の精神と領域を脱しない均等の範囲内で各種の変動や潤色を加えることができることは勿論である。図１１及び図１２を参考とし、それは、顔部マッサージ装置を示し、その構造は、本願の主な構造と同一であり（説明に便利であるため、その構造の符号は、援用する）、ただその運用の部位が異なるだけである。
【００３３】
以上の説明は、本発明の好適な実施形態を示したものであり、本発明を限定するものではない。従って、本発明の主旨を逸脱しない範囲における修飾または変更は、全て、本発明の保護範囲に含まれる。
【符号の説明】
【００３４】
１０  冷熱湿布装置
１１  接続管
２０  本体
２１  収容空間
２２  嵌合孔
２３  半導体電子冷却部材
３０  収容体
３１  収容部
３２  貼合部
３３  固定孔
３４  冷熱伝導部材
３５  冷却部材
３６  放水放熱部材
３７  固定部材
３８  第１水循環ポンプ
３９  振動モータ
４０  ウォーターバッグ
４１  第１循環水管
５０  固定片
５１  貼合孔
５２  フレーム
５３  固定部
６０  循環水槽
６１  収容本体
６２  収容溝
７０  制御本体
７１  制御インタフェース
７２  第２水循環ポンプ
７３  制御回路
７３１  電気ケーブル
７４  第２循環水管
８０  ヘッドバンド
８１  フック部
【図１】
0006594656.tif 000002
【図２】
0006594656.tif 000003
【図３】
0006594656.tif 000004
【図４】
0006594656.tif 000005
【図５】
0006594656.tif 000006
【図６】
0006594656.tif 000007
【図７】
0006594656.tif 000008
【図８】
0006594656.tif 000009
【図９】
0006594656.tif 000010
【図１０】
0006594656.tif 000011
【図１１】
0006594656.tif 000012
【図１２】
0006594656.tif 000013